(57)【特許請求の範囲】
【請求項１】
一端が中央の鼻定部にヒンジ結合され、他端が前記ヒンジを中心に回動して後退角度調整可能とした一対のレールと、
前記レールにスライド可能に装着され、下端に検眼レンズのレンズホルダーが前傾角度調整可能に取り付けられる一対の検眼レンズ用スライド部材と、
前記レールにスライド可能に装着され、下端に智が取り付けられる一対の智用スライド部材と、を備えることを特徴とする検眼メガネ。
【請求項２】
前記レールは、上部が平坦なＬ型レールであることを特徴とする請求項１に記載の検眼メガネ。
【請求項３】
前記レールは、全周に渡って軸方向に伸びる凹凸部が設けられた円筒形レールであることを特徴とする請求項１に記載の検眼メガネ。
【請求項４】
前記ヒンジ結合は、ヒンジピンの全周に渡って軸方向に伸びる山谷部が設けられ、該ヒンジピンが前記鼻定部のヒンジ孔に固定されるとともに、前記レールには、前記ヒンジピンの山谷部に係合しながら回動する突起が設けられることを特徴とする請求項１に記載の検眼メガネ。
【請求項５】
前記レールを互いに連結して、左右の前記後退角度調整を同時に行なうターンバックル（１８ａ）が、さらに設けられることを特徴とする請求項１に記載の検眼メガネ。
【請求項６】
前記鼻定部に支持される可撓性のロッドを有し、前記検眼レンズ用スライド部材を互いに連結して、左右の前記検眼レンズ用スライド部材の位置調整を同時に行なうターンバックル（１８ｂ）が、さらに設けられることを特徴とする請求項１に記載の検眼メガネ。
【発明の詳細な説明】
【技術分野】
【０００１】
本発明は、検眼メガネに係り、より詳細には、装着した検眼レンズを顔の側面後方に後退させるように傾けることができる検眼メガネに関する。
【背景技術】
【０００２】
検眼メガネは、検眼レンズを装着して視力矯正の具合を確認するために使用される。検眼メガネは、メガネフレームを作るための仮枠でもあり、検眼メガネでの調整や確認が十分でないと、最終的なメガネを装着した時に違和感を覚えるものとなる。現状の検眼メガネは、検眼レンズを顔の側面後方に後退するように傾けることができず、スポーツ用メガネに対応できていない。また、検眼レンズの前傾もできない。さらに、顔幅（もしくは耳と耳の距離）に対応して、検眼メガネの左右端に設けられる智（レンズフレームとテンプルを連結するヒンジのこと）の間の幅調整もない。すなわち現状の検眼メガネは、鼻あての高さ調整と、ＰＤ（Ｐｕｐｉｌ  Ｄｉｓｔａｎｃｅ：目の瞳孔間距離）に一致するように左右方向にスライド可能とした検眼レンズの位置調整があるにすぎない。メガネフレーム作成に必要な他の数値は、他の専用ゲージ等で測定しているので、最終的なスポーツ用メガネに違和感が出る場合があることは否めない。
【０００３】
特許文献１には、つまみを回して左右の検眼レンズ間の距離を同時に変更できる検眼メガネが開示される。特許文献２にはスポーツ用メガネが開示される。
【特許文献１】特開２０００−２６２４７４号公報
【特許文献２】特開平６−１２３８５４号公報
【発明の開示】
【発明が解決しようとする課題】
【０００４】
本発明の目的は、使い勝手がよく、検眼レンズを顔の側面後方に傾けることができ、合わせて、検眼レンズの左右位置調整、智と智の間の幅調整および検眼レンズの前傾角度調整が可能な検眼メガネを提供することにある。
【課題を解決するための手段】
【０００５】
本発明による請求項１の検眼メガネは、一端が中央の鼻定部にヒンジ結合され、他端が前記ヒンジを中心に回動して後退角度調整可能とした一対のレールと、前記レールにスライド可能に装着され、下端に検眼レンズのレンズホルダーが前傾角度調整可能に取り付けられる一対の検眼レンズ用スライド部材と、前記レールにスライド可能に装着され、下端に智が取り付けられる一対の智用スライド部材と、を備えることを特徴とする。
【０００６】
本発明による請求項２は、前記レールが、上部が平坦なＬ型レールであることを特徴とする。
【０００７】
本発明による請求項３は、前記レールは、外周に軸方向に伸びる凹凸部が設けられた円筒形レールであることを特徴とする。
【０００８】
本発明による請求項４は、前記ヒンジ結合は、ヒンジピンの全周に渡って軸方向に伸びる山谷部が設けられ、該ヒンジピンが前記鼻定部のヒンジ孔に固定されるとともに、前記レールには、前記ヒンジピンの山谷部に係合しながら回動する突起が設けられることを特徴とする。
【０００９】
本発明による請求項５は、前記レールを互いに連結して、左右の前記後退角度調整を同時に行なうターンバックル（１８ａ）が、さらに設けられることを特徴とする。
【００１０】
本発明による請求項６は、前記鼻定部に支持される可撓性のロッドを有し、前記検眼レンズ用スライド部材を互いに連結して、左右の前記検眼レンズ用スライド部材の位置調整を同時に行なうターンバックル（１８ｂ）が、さらに設けられることを特徴とする。
【発明の効果】
【００１１】
本発明による請求項１に記載の検眼メガネによれば、レールを鼻定部にヒンジ結合し、レールの他端を後退角度調整可能としたので、検眼レンズを顔の側面後方に傾けることができる。レールに検眼レンズ用スライド部材をスライド可能に装着したので、検眼レンズの左右位置を調整することができる。レールに智用スライド部材をスライド可能に装着したので、顔の幅に合わせた智と智の間の幅調整ができる。検眼レンズ用スライド部材にレンズホルダーを前傾角度調整可能に取り付けたので、検眼レンズを傾けることもできる。
【００１２】
請求項２によれば、上部が平坦なＬ型レールは、加工が簡単で、スライド部材を左右方向にぶれることなく移動できる。
【００１３】
請求項３によれば、外周に歯車状の凹凸部が設けられた円筒形レールは、スライド部材を左右方向にぶれることなく移動できる。
【００１４】
請求項４によれば、レールに設けた突起が、ヒンジピンの山谷部に係合しながら回動するようにしたので、レールの後退角度が所定の小さな角度で動かせる。アナログ的な角度調整に比較して角度の読み取りが確実にできる。
【００１５】
請求項５によれば、両側のレールをターンバックル（１８ａ）で結合したので、ターンバックル（１８ａ）を回すことで、両側のレールを同時に傾けて後退角度を調整することができる。片側ずつの調整に比較して面倒さがない。
【００１６】
請求項６によれば、両側の検眼レンズ用スライド部材を可撓性のロッドを有するターンバックル（１８ｂ）で結合したので、ターンバックル（１８ｂ）を回すことで、両側の検眼レンズの左右位置を同時に調整することができる。片側ずつの調整に比較して面倒さがない。
【発明を実施するための最良の形態】
【００１７】
以下、図面を参照して、本発明による検眼メガネを説明する。
【実施例１】
【００１８】
図１は、本発明による検眼メガネの斜視図である。検眼メガネ１００は、一対の検眼レンズ９を有する。中央の鼻定部１には、鼻あて８が上下にスライド可能に設けられる。鼻定部１はメガネではブリッジと呼ばれる部分に相当する。鼻定部１の前面にはスリットが設けられ、鼻あて８がどの高さにあるか示す針と目盛がある。鼻あては、止めネジａで鼻定部に固定される。符号１４は鼻あて８の高さ調整を示す。
【００１９】
鼻定部１の左右には、一対のレール２がヒンジで回動可能に取り付けられる。図１では、ヒンジは鼻定部１、レール２の凹凸の部分で示す。凹凸の部分に設けられた貫通孔にヒンジピン２５が挿入される。ヒンジピン２５はバネ２６が挿入され、鼻定部１とレール２の接合面を上下に押圧するように構成し、レール２の回動を摩擦でかたくして、任意の後退角度θ１でレール２を固定できる。回動させた角度すなわちレール２の後退角度θ１は、鼻定部１上面の角度目盛をレール２の上端に設けた針で読み取ることができる。符号１０は、レール２の後退角度θ１の調整を示す。レール２は、ここでは軽量にするため、上面が平坦なＬ型のレールを使用した。
【００２０】
レール２には、検眼レンズ用スライド部材４ａがスライド可能に装着される。検眼レンズ用スライド部材４ａは、下部が２股のハンガーに構成されている。ここに、検眼レンズ９が装着されたレンズホルダー５の左右両端部が、ネジで前傾角度調整可能に取り付けられる。検眼レンズ９の前傾角度θ２は検眼レンズ用スライド部材４ａに設けられた目盛で読み取ることができる。符号１３は、検眼レンズの前傾角度θ２の調整を示す。検眼レンズ用スライド部材４ａとレール２の間にスライドを容易にするローラを設けてもよい。スライド位置が確定されれば、検眼レンズ用スライド部材４ａを止めネジｂでレール２に固定する。検眼レンズ用スライド部材４ａの位置は、レール２上面の目盛で読み取ることができる。符号１１は、検眼レンズ用スライド部材４ａによる検眼レンズ９の左右位置の調整を示す。
【００２１】
レール２には、智用スライド部材４ｂがスライド可能に装着される。智用スライド部材４ｂの下部のハンガーに智３が連結される。これにより智３がスライド可能となるので、顔幅が広い人にも狭い人にも対応できる。スライドが確定したら止めネジｃでレール２に固定して、レール２上面の目盛で位置を読み取ることができる。智３の一端はヒンジとなっており、ヒンジ用ネジ１７によってテンプル６が取り付けられる。符号１２は、智３と智３の間の幅調整を示す。図１では、智３と智用スライド部材４ｂは、ダイレクトに連結しているが、引出し円Ｃ１に示すように、智３を回動可能に連結してもよい。
【００２２】
テンプル６は、鞘６ａに挿入されて、引き出せるので長さ調整が可能である。長さが確定したら止めネジｄで固定する。符号１５は、テンプル６の長さの調整を示す。これにより耳から目までの距離が大きい人にも小さい人にも対応できる。
【００２３】
テンプル６の鞘６ａの端部には、耳あて７が回動可能に取り付けられる。回動角度が確定したら止めネジｅで固定する。回動角度は、針の指す目盛で読み取ることができる。符号１６は、耳あての回動角度の調整を示す。
【００２４】
図２は、図１のヒンジピンに山谷部２７を設けた場合のヒンジ結合例である。図２（Ａ）に示すように、ヒンジピン２５には、全周に渡って軸方向に伸びる山谷部２７が設け、同様の山谷部が鼻定部１のヒンジ孔にも設けられる。これによりヒンジピン２５は鼻定部１に固定される。一方、図２（Ｂ）に示すように、レール２のヒンジ孔には、ヒンジピン２５の山谷部２７に係合する突起２８が設けられる。突起２８には、バネが組み込まれておりレール２を回動させると、突起２８が山谷部２７の山部によって押し上げられ、谷部に至るとバネで押し下げられて安定係合する。これにより、後退角度θ１を山谷部２７のピッチで歩進させることができる。
【００２５】
図３は、レールを円筒形とした場合の斜視図である。レール２の外周には、軸方向に伸びる凹凸部３０が設けられる。これにより、検眼レンズ用スライド部材４ａと智用スライド部材４ｂは、ともに円環の形状となる。円環の内側には凹凸部３０が形成され、円筒形のレール２に挿入される。検眼レンズ用スライド部材４ａと智用スライド部材４ｂは、ぶれがなく真っ直ぐにスライドできる。検眼レンズ用スライド部材４ａと智用スライド部材４ｂの固定は、止めネジあるいはクリップ（図示せず）で行なう。レンズホルダー５および智３は、上部が半円形のフックとしたハンガーの下部に取り付けられる。この例では、検眼レンズ用スライド部材４ａと智用スライド部材４ｂは、円環とハンガーの２つの部品からなる。
【００２６】
図４は、図１に示す検眼メガネの一対のレールを、ターンバックルで連結した場合の平面図である。図２（Ａ）は、鼻定部とレールがほぼ直線上にある場合を示す。図２（Ｂ）は、鼻定部とレールがハ字形に曲げられた場合を示す。両側のロッド１９の先端部分は、互いに逆向きのネジが設けられている。ロッド１９の一端は、レール２に固定されたロッド支持ブラケット２０に回動可能に連結されている。ターンバックル１８ａを一方に回転させるとロッド１９が互いに接近し、逆に反対に回転させるとロッド１９が互いに離れる。図４（Ａ）の矢印に示すように、ロッドが外側に互いに離れるようにターンバックル１８ａを回転させると、レール２は、図４（Ｂ）に示すように折れ曲がる。折れ曲がりの具合は後退角度θ１で示す。図４（Ｂ）の矢印に示すように、ロッドが互いに接近するようにターンバックル１８ａを回転させると、レール２は、図４（Ａ）に示すように元に戻る。ターンバックル１８ａは、検眼者の頭にぶつからないように、検眼メガネ１００の前方側に設けた。
【００２７】
図５は、図４のターンバックルの動作説明図である。ターンバックル１８ａを回転させると、レール２は鼻定部１の間のヒンジを中心に回動する。ターンバックル１８ａの矢印のような左右方向の力Ｆｏは、レール２を回動させる円周の接線方向には一致しないが、力Ｆｏは、回動中心に向かう力Ｆｉと接線方向に向かう力Ｆｒに分解され、力Ｆｒによって、図５（Ａ）、（Ｂ）に示すように、両側のレール２を同時に回動させることができる。
【００２８】
図６は、図１に示す検眼メガネの一対の検眼レンズ用スライド部材を、ターンバックルで連結した場合の平面図である。レール２は、所定の後退角度にあるとする。ターンバックル１８ｂは、鼻定部１に固定されたロッド支持ブラケット２０で支持される。ロッド１９は、ハッチングした部分がやわらかい可撓性の樹脂部２９で形成されている。図６（Ａ）に示すように、レール２と鼻定部１が一直線上にある場合には、ターンバックル１８ｂを回すことで、検眼レンズ用スライド部材４ａをスライドさせることができる。図６（Ｂ）に示すように、レール２が後退角度θ１で傾斜している場合には、可撓性の樹脂部２９が湾曲するけれども、ターンバックル１８ｂを回すことで、検眼レンズ用スライド部材４ａをスライドさせることができる。なお、図６のようなターンバックル１８ｂと、図４のようなターンバックル１８ａの両方を設けてもよい。
【産業上の利用可能性】
【００２９】
本発明は、検眼メガネに適用でき、スポーツ用メガネを使用する人や老眼の人の検眼メガネとしても好適である。
【図面の簡単な説明】
【００３０】
【図１】本発明による検眼メガネの斜視図である。（実施例１）
【図２】図１のヒンジピンに山谷部を設けた場合のヒンジ結合例である。（Ａ）はヒンジ結合された箇所の部分拡大正面図である。（Ｂ）は（Ａ）のＡ−Ａ断面図である。（実施例１）
【図３】図１のレールを円筒形レールとした場合の斜視図である。
【図４】図１に示す検眼メガネの一対のレールをターンバックルで連結した場合の平面図である。（Ａ）は、鼻定部とレールがほぼ直線上にある場合を示す。（Ｂ）は、鼻定部とレールがハ字形に曲げられた場合を示す。
【図５】図４のターンバックルの動作説明図である。
【図６】図１に示す検眼メガネの一対の検眼レンズ用スライド部材をターンバックルで連結した場合の平面図である。（Ａ）は、鼻定部とレールがほぼ直線上にある場合を示す。（Ｂ）は、鼻定部とレールがハ字形に曲げられた場合を示す。
【符号の説明】
【００３１】
１    鼻定部
２    レール
３    智
４ａ    検眼レンズ用スライド部材
４ｂ    智用スライド部材
５    レンズホルダー
６    テンプル
６ａ    鞘
７    耳あて
８    鼻あて
９    検眼レンズ
１０    レールの後退角度調整
１１    検眼レンズの左右位置調整
１２    智と智との間の幅調整
１３    検眼レンズの前傾角度調整
１４    鼻あて高さ調整
１５    テンプルの長さ調整
１６    耳あての角度調整
１７    ヒンジ用ネジ
１８    ターンバックル
１９    ロッド
２０    ロッド支持ブラケット
２５    ヒンジピン
２６    バネ
２７    山谷部
２８    突起
２９    可撓性の樹脂部
３０    凹凸部
１００    検眼メガネ
ａ、ｂ、ｃ、ｄ、ｅ    止めネジ
θ１    後退角度
θ２    前傾角度
【図１】
0004362661.tif 000002
【図２】
0004362661.tif 000003
【図３】
0004362661.tif 000004
【図４】
0004362661.tif 000005
【図５】
0004362661.tif 000006
【図６】
0004362661.tif 000007